(57)【要約】      （修正有）【課題】印刷されて携帯される実際の出来上がり状態を確認しつつユーザがデザイン作業を進行することができるデザインシステム及びデザイン方法を提供する。【解決手段】サーバ１の情報指定ページ表示部２が、情報指定ページＰを端末に送信してブラウザに表示させる。そして、受信格納部３が、情報指定ページＰで指定された文字情報Ｌや画像情報Ｇを受信して格納し、当該受信の都度、印刷データ作成部５が、印刷データファイルＤを作成する。しかる後、画像表示部６が、作成された印刷データファイルＤをＪＰＥＧ画像ＤＧに変換して、情報指定ページＰに表示させる。【選択図】図２
2006126917.tif 000002
【特許請求の範囲】
【請求項１】
インタネットを介してサーバに接続された端末のブラウザ上で名刺や葉書等のデザイン作業が可能なデザインシステムであって、
上記サーバは、
名刺や葉書等の台紙領域を有し且つ文字，フォント，大きさ及び台紙領域位置等の文字情報や画像，種類，大きさ及び台紙領域位置等の画像情報を指定可能な情報指定ページを上記端末に送信して当該端末のブラウザに表示させる情報指定ページ表示手段と、
上記情報指定ページで指定され送信されてきた上記文字情報や画像情報を受信して格納する受信格納手段と、
上記受信格納手段における受信の都度、当該受信時に受信格納手段に格納されている全ての文字情報や画像情報が示す指定文字や指定画像をプリンタによって用紙の指定台紙領域内に印刷させるための印刷データファイルに変換する印刷データ作成手段と、
上記印刷データ作成手段で作成された印刷データファイルを画像に変換し、当該画像を上記端末に送信して上記情報指定ページの台紙領域に表示させる画像表示手段と
を具備することを特徴とするデザインシステム。
【請求項２】
インタネットを介してサーバに接続された端末のブラウザ上で名刺や葉書等のデザイン作業が可能なデザインシステムであって、
上記サーバは、
名刺や葉書等の台紙領域を有し且つ文字，フォント，大きさ及び台紙領域位置等の文字情報や画像，種類，大きさ及び台紙領域位置等の画像情報を指定可能な情報指定ページを上記端末に送信して当該端末のブラウザに表示させる情報指定ページ表示手段と、
上記情報指定ページで指定され送信されてきた上記文字情報や画像情報を受信して格納する受信格納手段と、
上記受信格納手段における受信の都度、受信した文字情報や画像情報が示す指定文字や指定画像をプリンタによって印刷させるための印刷データファイルに変換する確認印刷データ作成手段と、
上記確認印刷データ作成手段で作成された印刷データファイルを画像に変換し、当該画像を上記端末に送信して上記情報指定ページの台紙領域に表示させる確認手段と、
上記端末からの指令により、当該指令時に上記受信格納手段によって格納されている全ての文字情報や画像情報が示す指定文字や指定画像をプリンタによって用紙の指定台紙領域内に印刷させるための印刷データファイルに変換する印刷データ作成手段と、
上記印刷データ作成手段で作成された印刷データファイルを画像に変換し、当該画像を上記端末に送信して上記情報指定ページの台紙領域に表示させる画像表示手段と
を具備することを特徴とするデザインシステム。
【請求項３】
請求項１又は請求項２に記載のデザインシステムにおいて、
上記印刷データファイルは、ポストスクリプトファイルである、
ことを特徴とするデザインシステム。
【請求項４】
名刺や葉書等の台紙領域を有し且つ文字，フォント，大きさ及び台紙領域位置等の文字情報や画像，種類，大きさ及び台紙領域位置等の画像情報を指定可能な情報指定ページを、サーバからインタネットを介して接続された端末に送信して当該端末のブラウザに表示させる情報指定ページ表示過程と、
上記情報指定ページで指定され上記端末から送信されてきた上記文字情報や画像情報を上記サーバで受信して格納する受信格納過程と、
上記受信格納過程における受信の都度、当該受信時に受信格納過程によって格納されている全ての文字情報や画像情報が示す指定文字や指定画像をプリンタによって用紙の指定台紙領域内に印刷させるための印刷データファイルに変換する印刷データ作成過程と、
上記印刷データ作成過程で作成された印刷データファイルを画像に変換し、当該画像を上記サーバから上記端末に送信して上記情報指定ページの台紙領域に表示させる画像表示過程と
を具備することを特徴とするデザイン方法。
【請求項５】
名刺や葉書等の台紙領域を有し且つ文字，フォント，大きさ及び台紙領域位置等の文字情報や画像，種類，大きさ及び台紙領域位置等の画像情報を指定可能な情報指定ページをサーバからインタネットを介して接続された上記端末に送信して当該端末のブラウザに表示させる情報指定ページ表示過程と、
上記情報指定ページで指定され送信されてきた上記文字情報や画像情報を上記サーバで受信して格納する受信格納過程と、
上記サーバが、上記受信格納過程における受信の都度、受信した文字情報や画像情報が示す指定文字や指定画像をプリンタによって印刷させるための印刷データファイルに変換する確認印刷データ作成過程と、
上記確認印刷データ作成過程で作成された印刷データファイルを画像に変換し、当該画像を上記サーバから上記端末に送信して上記情報指定ページの台紙領域に表示させる確認過程と、
上記端末からの指令により、上記サーバが、当該指令時に上記受信格納過程によって格納されている全ての文字情報や画像情報が示す指定文字や指定画像をプリンタによって用紙の指定台紙領域内に印刷させるための印刷データファイルに変換する印刷データ作成過程と、
上記印刷データ作成過程で作成された印刷データファイルを画像に変換し、当該画像を上記サーバから上記端末に送信して上記情報指定ページの台紙領域に表示させる画像表示過程と
を具備することを特徴とするデザイン方法。
【請求項６】
請求項４又は請求項５に記載のデザイン方法において、
上記印刷データファイルは、ポストスクリプトファイルである、
ことを特徴とするデザイン方法。
【発明の詳細な説明】
【技術分野】
【０００１】
この発明は、ユーザが名刺等をインタネットのブラウザ上でその完成状態を確認しつつ自分でデザインすることができるデザインシステム及びデザイン方法に関するものである。
【背景技術】
【０００２】
従来、この種のデザインシステムとして、例えば特許文献１に記載の技術がある。
この技術は、ユーザ側のパソコンとサーバとをインタネット回線で接続した構成となっており、ユーザの操作によって進行するデザイン作業について、文字情報や画像情報の現状をユーザ側のパソコンに表示する。また、サーバ側では、デザイン作業に必要なデータを保有し、ユーザ側からの指示に対応してデザイン作業を進行させると共に、進行状態をユーザ側で表示するために必要なデータをパソコンに送信する。そして、ユーザ側からデザイン完了の指示を受けたときに、サーバ側では、それまでに蓄積されたデータに基づいて、完了したデザインを実体化してユーザに渡すようになしている。
【０００３】
【特許文献１】特開２００１−２４３４５２号公報
【発明の開示】
【発明が解決しようとする課題】
【０００４】
しかし、上記した従来の技術では、次のような問題がある。
この従来の技術では、ユーザ側が指定した名刺等を表示するための全ての情報をサーバ側で得ると、サーバ側のプログラムでは、指定された台紙上に、個人情報や写真等を貼り付けた名刺等の画像ファイルを作成する。そして、作成した画像ファイルを、ユーザ側からの処理（マウスのクリック）に応じて、ユーザ側にダウンロードし、画面上に各画像ファイルを重ねて表示させて、名刺等の出来上がり状態をユーザに見せる構成となっている。しかしながら、実際には、各画像ファイルを重ねてブラウザに表示した名刺等のイメージとこれらの画像ファイルに基づいて印刷された名刺等のイメージとはかなり異なる。このため、ブラウザに表示されたイメージを、印刷されて携帯される実際の名刺等の外観と同一視することができず、ブラウザに表示されたイメージはデザイン作業上あまり参考にならない。
【０００５】
この発明は、上述した課題を解決するためになされたもので、印刷されて携帯される実際の出来上がり状態を確認しつつユーザがデザイン作業を進行することができるデザインシステム及びデザイン方法を提供することを目的とする。
【課題を解決するための手段】
【０００６】
上記課題を解決するために、請求項１の発明は、インタネットを介してサーバに接続された端末のブラウザ上で名刺や葉書等のデザイン作業が可能なデザインシステムであって、サーバは、名刺や葉書等の台紙領域を有し且つ文字，フォント，大きさ及び台紙領域位置等の文字情報や画像，種類，大きさ及び台紙領域位置等の画像情報を指定可能な情報指定ページを端末に送信して当該端末のブラウザに表示させる情報指定ページ表示手段と、情報指定ページで指定され送信されてきた文字情報や画像情報を受信して格納する受信格納手段と、受信格納手段における受信の都度、当該受信時に受信格納手段に格納されている全ての文字情報や画像情報が示す指定文字や指定画像をプリンタによって用紙の指定台紙領域内に印刷させるための印刷データファイルに変換する印刷データ作成手段と、印刷データ作成手段で作成された印刷データファイルを画像に変換し、当該画像を端末に送信して情報指定ページの台紙領域に表示させる画像表示手段とを具備する構成とした。
かかる構成により、サーバの情報指定ページ表示手段によって、文字情報や画像情報を指定可能な情報指定ページが端末に送信され、当該端末のブラウザに表示される。そして、受信格納手段によって、情報指定ページで指定され送信されてきた文字情報や画像情報が受信されて格納され、印刷データ作成手段によって、受信格納手段における受信の都度、受信時に格納されている全ての文字情報や画像情報が示す指定文字や指定画像を印刷させるための印刷データファイルが作成される。そして、画像表示手段によって、この印刷データファイルが画像に変換され、当該画像が端末に送信されて、情報指定ページの台紙領域に表示される。
【０００７】
また、請求項２の発明は、インタネットを介してサーバに接続された端末のブラウザ上で名刺や葉書等のデザイン作業が可能なデザインシステムであって、サーバは、名刺や葉書等の台紙領域を有し且つ文字，フォント，大きさ及び台紙領域位置等の文字情報や画像，種類，大きさ及び台紙領域位置等の画像情報を指定可能な情報指定ページを端末に送信して当該端末のブラウザに表示させる情報指定ページ表示手段と、情報指定ページで指定され送信されてきた文字情報や画像情報を受信して格納する受信格納手段と、受信格納手段における受信の都度、受信した文字情報や画像情報が示す指定文字や指定画像をプリンタによって印刷させるための印刷データファイルに変換する確認印刷データ作成手段と、確認印刷データ作成手段で作成された印刷データファイルを画像に変換し、当該画像を端末に送信して情報指定ページの台紙領域に表示させる確認手段と、端末からの指令により、当該指令時に受信格納手段によって格納されている全ての文字情報や画像情報が示す指定文字や指定画像をプリンタによって用紙の指定台紙領域内に印刷させるための印刷データファイルに変換する印刷データ作成手段と、印刷データ作成手段で作成された印刷データファイルを画像に変換し、当該画像を端末に送信して情報指定ページの台紙領域に表示させる画像表示手段とを具備する構成とした。
かかる構成により、サーバの情報指定ページ表示手段によって、文字情報や画像情報を指定可能な情報指定ページが端末に送信されて当該端末のブラウザに表示される。そして、受信格納手段によって、送信されてきた文字情報や画像情報が受信されて格納され、受信格納手段における受信の都度、確認印刷データ作成手段によって、指定文字や指定画像が印刷データファイルに変換される。しかる後、確認手段によって、この印刷データファイルが画像に変換され、当該画像が端末の情報指定ページの台紙領域に表示される。また、端末からの指令があると、印刷データ作成手段によって、格納されている全ての文字情報や画像情報が示す指定文字や指定画像が印刷データファイルに変換され、画像表示手段によって、印刷データファイルが画像に変換されて、当該画像が端末に送信されて情報指定ページの台紙領域に表示される。
【０００８】
特に、請求項３の発明は、請求項１又は請求項２に記載のデザインシステムにおいて、印刷データファイルは、ポストスクリプトファイルである構成とした。
【０００９】
ところで、上記システムで実現される方法も新規な方法の発明として成立する。そこで、請求項４の発明に係るデザイン方法では、名刺や葉書等の台紙領域を有し且つ文字，フォント，大きさ及び台紙領域位置等の文字情報や画像，種類，大きさ及び台紙領域位置等の画像情報を指定可能な情報指定ページを、サーバからインタネットを介して接続された端末に送信して当該端末のブラウザに表示させる情報指定ページ表示過程と、情報指定ページで指定され端末から送信されてきた文字情報や画像情報をサーバで受信して格納する受信格納過程と、受信格納過程における受信の都度、当該受信時に受信格納過程によって格納されている全ての文字情報や画像情報が示す指定文字や指定画像をプリンタによって用紙の指定台紙領域内に印刷させるための印刷データファイルに変換する印刷データ作成過程と、印刷データ作成過程で作成された印刷データファイルを画像に変換し、当該画像をサーバから端末に送信して情報指定ページの台紙領域に表示させる画像表示過程とを具備する構成とした。
【００１０】
また、請求項５の発明に係るデザイン方法は、名刺や葉書等の台紙領域を有し且つ文字，フォント，大きさ及び台紙領域位置等の文字情報や画像，種類，大きさ及び台紙領域位置等の画像情報を指定可能な情報指定ページをサーバからインタネットを介して接続された端末に送信して当該端末のブラウザに表示させる情報指定ページ表示過程と、情報指定ページで指定され送信されてきた文字情報や画像情報をサーバで受信して格納する受信格納過程と、サーバが、受信格納過程における受信の都度、受信した文字情報や画像情報が示す指定文字や指定画像をプリンタによって印刷させるための印刷データファイルに変換する確認印刷データ作成過程と、確認印刷データ作成過程で作成された印刷データファイルを画像に変換し、当該画像をサーバから端末に送信して情報指定ページの台紙領域に表示させる確認過程と、端末からの指令により、サーバが、当該指令時に受信格納過程によって格納されている全ての文字情報や画像情報が示す指定文字や指定画像をプリンタによって用紙の指定台紙領域内に印刷させるための印刷データファイルに変換する印刷データ作成過程と、印刷データ作成過程で作成された印刷データファイルを画像に変換し、当該画像をサーバから端末に送信して情報指定ページの台紙領域に表示させる画像表示過程とを具備する構成とした。
【００１１】
特に、請求項６の発明は、請求項４又は請求項５に記載のデザイン方法において、印刷データファイルは、ポストスクリプトファイルである構成とした。
【発明の効果】
【００１２】
以上詳しく説明したように、この発明に係るデザインシステム及びデザイン方法によれば、文字情報や画像情報が示す指定文字や指定画像の印刷データファイルが画像に変換されて、端末の情報指定ページの台紙領域に表示されるので、印刷データファイルに基づいて印刷された名刺等のイメージと同一のイメージの画像が端末のブラウザに表示される。したがって、端末のユーザは、印刷されて出来上がった名刺等とほぼ完全に同一のイメージの画像をブラウザで確認することができるので、ブラウザ表示物と実物との誤差から生じる再デザインの作業を防止することができる。この結果、デザイン作業効率を向上させることができると共に、期待したイメージの名刺等を取得することができるという優れた効果がある。
特に、請求項２及び請求項５の発明によれば、文字情報や画像情報が受信される都度、印刷データファイルが作成され、画像に変換されて、端末のブラウザに表示されるので、端末のユーザは、デザイン作成中の実際のイメージを確認しながらデザイン作業を進行することができ、この結果、デザイン作業効率をさらに向上させることができる。
【発明を実施するための最良の形態】
【００１３】
以下、この発明の最良の形態について図面を参照して説明する。
【実施例１】
【００１４】
図１は、この発明の第１実施例に係るデザインシステムを示すネットワーク図であり、図２は、サーバの機能ブロック図であり、図３は、情報指定ページを示すブラウザ画面図である。
図１に示すように、この実施例のデザインシステムは、サーバ１と、このサーバ１にインタネット１００を介して接続された端末２００とを備えてなり、端末２００のブラウザ上で名刺のデザイン作業を行うことができるようになっている。
【００１５】
サーバ１は、図２に示すように、情報指定ページ表示手段としての情報指定ページ表示部２と、受信格納手段としての受信格納部３と、印刷データ作成手段としての印刷データ作成部５と、画像表示手段としての画像表示部６と、再表示手段としての再表示部７とを機能ブロックとして有するが、これらは、ＷＷＷサーバ用の"Apache"，"IIS"等やアプリケーションサーバ用の"Perl"，"ASP"等を用いたプログラム中の機能として存在するものである。
【００１６】
情報指定ページ表示部２は、端末２００のアクセス時に情報指定ページＰを送信して、端末２００のブラウザに表示させる部分である。
この情報指定ページ表示部２によって送信される情報指定ページＰは、図３に示すように、名刺の台紙領域Ｐ１と文字情報指定領域Ｐ２と画像情報指定領域Ｐ３とを有している。
【００１７】
台紙領域Ｐ１は、指定された文字や画像を表示する部分であり、領域外形は名刺の外形とほぼ相似形をなす。
文字情報指定領域Ｐ２は、文字，フォント，大きさ及び台紙領域位置等の文字情報を指定する領域であり、ブロック選択スクロールｐ２１と送信ボタンｐ２２と上位置入力ボックスｐ２４と左位置入力ボックスｐ２５と編集用のテキストボックスｐ２６とフォント指定スクロールｐ２７と文字大きさスクロールｐ２８とを有している。すなわち、ブロック選択スクロールｐ２１でブロック番号を指定すると共に、台紙領域Ｐ１内における表示位置を上位置入力ボックスｐ２４と左位置入力ボックスｐ２５で指定することができる。そして、指定したブロックの文字をテキストボックスｐ２６に入力すると共に、その文字のフォントや大きさをフォント指定スクロールｐ２７と文字大きさスクロールｐ２８で指定することができるようになっている。
【００１８】
画像情報指定領域Ｐ３は、画像，大きさ及び台紙領域位置等の画像情報を指定する領域であり、画像大きさ入力ボックスｐ３１と上位置入力ボックスｐ３２と左位置入力ボックスｐ３３と画像パス入力ボックスｐ３４とアップロードボタンｐ３５とを有している。すなわち、画像の大きさを画像大きさ入力ボックスｐ３１で指定すると共に、台紙領域Ｐ１内における画像位置を上位置入力ボックスｐ３２及び左位置入力ボックスｐ３３で指定することができる。そして、アップロードボタンｐ３５をクリックすることで、画像パス入力ボックスｐ３４に入力されたパスの画像をアップロードすることができるようになっている。
【００１９】
各ブロックにつき文字情報指定領域Ｐ２と画像情報指定領域Ｐ３で指定された文字情報Ｌ，画像情報Ｇは、送信ボタンｐ２２，アップロードボタンｐ３５をクリックすることで、サーバ１に送信されるようになっている。以下、１番ブロックの文字情報を文字情報Ｌ１、２番ブロックの文字情報を文字情報Ｌ２…というように、ブロック番号と文字情報とを対応付けて記す。
また、情報指定ページＰには、クリックすると再表示指令Ｒを再表示部７に送信する再表示ボタンＰ５が設けられている。
【００２０】
図２において、受信格納部３は、情報指定ページＰで指定され送信されてきた文字情報Ｌや画像情報Ｇを受信して格納する部分である。
具体的には、端末２００から順次送られてくる文字情報Ｌ１〜Ｌｎと画像情報Ｇをデータベース３０に格納する機能を有している。また、この際、これらの文字情報及び画像情報と端末２００とを関連付けて格納する機能も有している。かかる関連付けは、端末のユーザのＩＤやクッキー等によって行う。なお、同一番号の文字情報Ｌや画像情報Ｇを再度受信した場合には、データベース３０に格納している情報をこの受信した新しい情報で上書きして更新する機能を有している。
【００２１】
印刷データ作成部５は、受信格納部３における受信の都度、印刷データファイルＤを作成する部分である。
具体的には、受信格納部３が端末２００からの文字情報Ｌや画像情報Ｇを受信すると、印刷データ作成部５は、受信格納部３による受信を検知し、当該受信時にデータベース３０に格納されている全ての文字情報Ｌ及び画像情報Ｇを読み出し、これらの文字情報Ｌ及び画像情報Ｇに基づいて指定文字や指定画像を名刺の台紙に印刷させるための印刷データファイルＤに変換する。この実施例では、印刷データファイルＤは、ポストスクリプトファイルである。したがって、この印刷データファイルＤをサーバ１から図１に示すプリンタ１０に出力することにより、実物の名刺をプリンタ１０で印刷出力することができる。
【００２２】
画像表示部６は、印刷データ作成部５で作成された印刷データファイルＤを画像に変換し、当該画像を端末２００に送信して情報指定ページＰの台紙領域Ｐ１に表示させる部分である。この実施例では、印刷データファイルＤをＪＰＥＧ画像ＤＧに変換する。したがって、ＪＰＥＧ画像ＤＧは、プリンタ１０で印刷した実物の名刺と同一のイメージの名刺を表示していることとなる。また、この画像表示部６は、作成したＪＰＥＧ画像ＤＧを当該端末２００に関連付けてデータベース３０に格納する機能を有する。
【００２３】
再表示部７は、端末２００端末からの要求により、当該端末２００に関連付けられたＪＰＥＧ画像ＤＧを当該端末２００のブラウザの台紙領域Ｐ１に表示させる部分である。具体的には、情報指定ページＰの再表示ボタンＰ５のクリックによって送られた再表示指令Ｒを再表示部７が受信すると、データベース３０に格納された当該端末２００に関するＪＰＥＧ画像ＤＧを読み出す。そして、このＪＰＥＧ画像ＤＧを情報指定ページＰの台紙領域Ｐ１に表示させる。すなわち、最終状態におけるＪＰＥＧ画像ＤＧを台紙領域Ｐ１に再表示する。
【００２４】
次にこの実施例に係るデザインシステムが示す動作について説明する。
なお、この実施例のデザインシステムが示す動作は、この発明のデザイン方法を具体的に実現するものでもある。
図４は、１番目のブロックの文字情報とそのＪＰＥＧ画像ＤＧ１とを示す画面図であり、図５は、２番目のブロックの文字情報とそのＪＰＥＧ画像ＤＧ２とを示す画面図であり、図６は、５番目のブロックの文字情報とそのＪＰＥＧ画像ＤＧ５とを示す画面図であり、図７は、画像情報とそのＪＰＥＧ画像ＤＧ６とを示す画面図である。
【００２５】
図１に示す端末２００からサーバ１にアクセスがあると、図２に示すサーバ１の情報指定ページ表示部２によって、情報指定ページＰが端末２００に送信されて、図３に示したように、そのブラウザに表示される（情報指定ページ表示過程）。
以下、氏名「特許太郎」、会社名「特許株式会社」、住所「〒２１０ 神奈川県＊＊＊＊＊＊＊＊＊＊」、電話「ＴＥＬ＊＊＊−＊＊＊−＊＊＊＊」、ファックス「ＦＡＸ＊＊＊−＊＊＊−＊＊＊＊」をブロックとし、１枚のロゴ画像を有した名刺をユーザがデザインする場合について説明する。
【００２６】
まず、氏名「特許太郎」をデザインする場合について述べる。かかる場合には、例えば図４に示すように、ブロック選択スクロールｐ２１でブロック番号１を指定すと共に、台紙領域Ｐ１内におけるブロックの位置「１０ミリ、３０ミリ」を上位置入力ボックスｐ２４と左位置入力ボックスｐ２５で指定する。そして、文字「特許太郎」をテキストボックスｐ２６に入力すると共に、その文字のフォント「ゴシック体」と大きさ「１５」ポイントとをフォント指定スクロールｐ２７と文字大きさスクロールｐ２８とで指定する。かかる指定後、送信ボタンｐ２２をクリックする。すると、これらの文字情報Ｌ１がインタネット１００を介してサーバ１に送信され、図２に示す受信格納部３によって受信される。そして、この文字情報Ｌ１が当該端末２００と関連付けられた状態で、データベース３０に格納される（受信格納過程）。
【００２７】
そして、印刷データ作成部５において、現時点でデータベース３０に格納されている全ての文字情報及び画像情報であるが読み出される。現時点では、受信した文字情報Ｌ１のみがデータベース３０に格納されているので、この文字情報Ｌ１が読み出される。
これにより、文字情報Ｌ１に基づいて、指定文字である氏名「特許太郎」を指定条件下で名刺の台紙に印刷させることができる印刷データファイルＤが作成される（印刷データ作成過程）。
【００２８】
そして、この印刷データファイルＤが画像表示部６に送られ、画像表示部６において、ＪＰＥＧ画像ＤＧ１に変換される。すると、このＪＰＥＧ画像ＤＧ１が、端末２００に送信されて、図４に示すように、台紙領域Ｐ１に表示される（画像表示過程）。この台紙領域Ｐ１に表示されているＪＰＥＧ画像ＤＧ１は、氏名「特許太郎」の印刷データファイルＤをプリンタ１０で印刷した実物の名刺と同一のイメージである。
【００２９】
次に、会社名「特許株式会社」をデザインする場合について述べる。かかる場合にも、図５に示すように、ブロック選択スクロールｐ２１でブロック番号２を指定すと共に、台紙領域Ｐ１内におけるブロックの位置を上位置入力ボックスｐ２４と左位置入力ボックスｐ２５で指定し、文字「特許株式会社」をテキストボックスｐ２６に入力する。そして、その文字のフォントと大きさをフォント指定スクロールｐ２７と文字大きさスクロールｐ２８で指定して、送信ボタンｐ２２をクリックする。すると、上記文字情報Ｌ１と同様に、文字情報Ｌ２が、図２に示すサーバ１の受信格納部３によって受信され、この文字情報Ｌ２が当該端末２００と関連付けられた状態で、データベース３０に格納される（受信格納過程）。
そして、印刷データ作成部５において、現時点でデータベース３０に格納されている全ての文字情報及び画像情報であるが読み出される。現時点では、既に格納されている文字情報Ｌ１と受信した文字情報Ｌ２とがデータベース３０に格納されているので、この文字情報Ｌ１，Ｌ２が読み出される。
これにより、文字情報Ｌ１，Ｌ２に基づいて、「特許太郎」と「特許株式会社」とを指定条件下で名刺の台紙に印刷させることができる印刷データファイルＤが作成される（印刷データ作成過程）。
そして、この印刷データファイルＤが画像表示部６に送られ、画像表示部６において、ＪＰＥＧ画像ＤＧ２に変換される。これにより、このＪＰＥＧ画像ＤＧ２が、端末２００に送信されて、図５に示すように、台紙領域Ｐ１に表示される（画像表示過程）。この台紙領域Ｐ１に表示されているＪＰＥＧ画像ＤＧ２は、氏名「特許太郎」と会社名「特許株式会社」を含む印刷データファイルＤをプリンタ１０で印刷した実物の名刺と同一のイメージである。
【００３０】
ここで、例えば氏名「特許太郎」のフォントや位置などに満足しない場合には、これを修正することができる。すなわち、再度、ブロック選択スクロールｐ２１でブロック番号１を指定して、ブロックの位置やフォントなどを、上位置入力ボックスｐ２４，左位置入力ボックスｐ２５やフォント指定スクロールｐ２７等で適宜指定し、送信ボタンｐ２２をクリックする。すると、これらの文字情報Ｌ１がサーバ１の受信格納部３によって受信され、既にデータベース３０に格納されている文字情報Ｌ１の上から上書きされて、更新される（受信格納過程）。
すると、印刷データ作成部５において、更新された文字情報Ｌ１と文字情報Ｌ２とがデータベース３０から読み出され、新しい文字情報Ｌ１，Ｌ２に基づいて、「特許太郎」と「特許株式会社」とを名刺の台紙に印刷させることができる印刷データファイルＤが作成される（印刷データ作成過程）。
そして、この印刷データファイルＤが画像表示部６においてＪＰＥＧ画像ＤＧ２に変換され、修正後のＪＰＥＧ画像ＤＧ２が、図５に示すように、台紙領域Ｐ１に表示される（画像表示過程）。
【００３１】
以下、同様にして、住所「〒２１０ 神奈川県＊＊＊＊＊＊＊＊＊＊」、電話「ＴＥＬ＊＊＊−＊＊＊−＊＊＊＊」、ファックス「ＦＡＸ＊＊＊−＊＊＊−＊＊＊＊」を３番ブロック、４番ブロック、５番ブロックとして、上記と同様に指定し、随時送信ボタンｐ２２をクリックすると、文字情報Ｌ３，Ｌ４，Ｌ５がサーバ１の受信格納部３によって受信され、これらの文字情報Ｌ３〜Ｌ５が当該端末２００と関連付けられた状態で、順次データベース３０に格納される。
そして、印刷データ作成部５において、データベース３０内に格納されている文字情報Ｌ１〜Ｌ５が読み出され、文字情報Ｌ１〜Ｌ５に基づいて、氏名「特許太郎」、会社名「特許株式会社」、住所「〒２１０ 神奈川県＊＊＊＊＊＊＊＊＊＊」、電話「ＴＥＬ＊＊＊−＊＊＊−＊＊＊＊」、ファックス「ＦＡＸ＊＊＊−＊＊＊−＊＊＊＊」を名刺の台紙に印刷させることができる印刷データファイルＤが作成される（印刷データ作成過程）。
そして、この印刷データファイルＤが画像表示部６においてＪＰＥＧ画像ＤＧ５に変換され、図６に示すように、台紙領域Ｐ１に表示される（画像表示過程）。
【００３２】
最後に、ロゴ画像をデザインする場合を述べる。かかる場合に、例えば図７に示すように、台紙領域Ｐ１内における画像の位置「１０ミリ、１０ミリ」を上位置入力ボックスｐ３２と左位置入力ボックスｐ３３で指定すると共に画像大きさ入力ボックスｐ３１で大きさを指定する。そして、画像パス入力ボックスｐ３４に画像のパスを入力した後、アップロードボタンｐ３５をクリックすると、画像がアップロードされ、これらの画像情報Ｇが、図２に示すサーバ１に送信される。すると受信格納部３によって受信され、この画像情報Ｇが当該端末２００と関連付けられた状態で、データベース３０に格納される（受信格納過程）。
すると、印刷データ作成部５において、既に格納されている文字情報Ｌ１〜Ｌ５と画像情報Ｇとがデータベース３０から読み出され、氏名「特許太郎」、会社名「特許株式会社」、住所「〒２１０ 神奈川県＊＊＊＊＊＊＊＊＊＊」、電話「ＴＥＬ＊＊＊−＊＊＊−＊＊＊＊」、ファックス「ＦＡＸ＊＊＊−＊＊＊−＊＊＊＊」とロゴ画像とを指定条件かで印刷させることができる印刷データファイルＤが作成される（印刷データ作成過程）。
そして、この印刷データファイルＤが画像表示部６においてＪＰＥＧ画像ＤＧ６に変換され、図７に示すように、ロゴＧ′を有したＪＰＥＧ画像ＤＧ６が台紙領域Ｐ１に表示される（画像表示過程）。
【００３３】
また、端末２００のユーザが情報指定ページＰを一端閉じ、後日情報指定ページＰを開いて、過去に作成した名刺のデザインを再確認したい場合には、情報指定ページＰの再表示ボタンＰ５のクリックする。これにより、再表示指令Ｒがサーバ１の再表示部７に送られ、再表示部７によって、データベース３０に格納されているＪＰＥＧ画像ＤＧが読み出される。データベース３０内の情報は、端末ユーザのＩＤやクッキー等を関連付けられて格納されているので、端末２００のユーザのＩＤやクッキー等に対応したＪＰＥＧ画像ＤＧ６が再表示部７によって読み出される。そして、このＪＰＥＧ画像ＤＧ６が情報指定ページＰの台紙領域Ｐ１に表示される。すなわち、図７に示した最終状態のＪＰＥＧ画像ＤＧ６が再表示される。したがって、ユーザは、表示されたＪＰＥＧ画像ＤＧ６を再確認し、このＪＰＥＧ画像ＤＧ６をベースにして、文字や画像を再指定することで、新デザインの名刺を得ることができる。
【００３４】
このように、この実施例のデザインシステムによれば、文字情報Ｌ１〜Ｌ５と画像情報Ｇとに基づいて、印刷データファイルＤが作成され、この印刷データファイルＤが画像表示部６においてＪＰＥＧ画像ＤＧに変換された後、このＪＰＥＧ画像ＤＧが、端末２００のブラウザに表示される。これにより、端末２００のユーザは、台紙領域Ｐ１に表示されたＪＰＥＧ画像ＤＧが印刷制作される実物の名刺のイメージであることを常に視認しながら作業をすることができる。したがって、ユーザは、端末２００のブラウザ表示物と実物との誤差から生じる再デザインの作業を防止することができ、この結果、デザイン作業効率を向上させることができると共に、期待したイメージの名刺を取得することができる。
また、後日、情報指定ページＰの再表示ボタンＰ５をクリックすることで、既に格納されているＪＰＥＧ画像ＤＧが読み出され、この情報に基づいて、以前の文字と画像とが台紙領域Ｐ１に表示されるので、以前に指定した文字情報や画像情報の再利用が可能となり、この結果、後日のデザイン作業の省力化を図ることができる。
【実施例２】
【００３５】
次に、この発明の第２実施例に係るデザインシステムについて説明する。
図８は、この発明の第２実施例に係るデザインシステムに適用されるサーバの機能ブロック図であり、図９は、１番目のブロックの文字画像を示す画面図であり、図１０は、１番目のブロックの文字画像を移動させた状態を示す画面図である。
【００３６】
図８に示すように、この実施例のデザインシステムに係るサーバ１′は、情報指定ページ表示部２と受信格納部３と確認印刷データ作成手段としての確認印刷データ作成部８と確認部４と印刷データ作成部５′と画像表示部６と再表示部７とを機能ブロックとして有する。
情報指定ページ表示部２と受信格納部３と画像表示部６と再表示部７とは、上記第１実施例のサーバ１に用いられた機能ブロックと同様であるので、確認印刷データ作成部８と確認部４と印刷データ作成部５′とについて詳細に述べる。
【００３７】
確認印刷データ作成部８は、受信格納部３でその都度受信された文字情報Ｌや画像情報Ｇに基づいて印刷データファイルｄを作成する部分である。
具体的には、図９に示すように、１番ブロックにおいて、文字「特許太郎」をテキストボックスｐ２６に入力すると共に、フォント等を指定した後、送信ボタンｐ２２をクリックすると、文字情報Ｌ１が、図８に示すサーバ１′の受信格納部３によって受信されると共にデータベース３０に格納される。このとき、確認印刷データ作成部８は、文字情報Ｌ１に基づいて、指定文字である「特許太郎」をプリンタ１０によって印刷させることができる印刷データファイルｄを作成する。
【００３８】
確認部４は、確認印刷データ作成部８で作成された印刷データファイルｄを画像に変換して、当該画像を情報指定ページＰの台紙領域Ｐ１に表示させる部分である。
具体的には、文字情報Ｌ１，〜，Ｌ５や画像情報Ｇに基づく印刷データファイルｄをそれぞれＪＰＥＧ画像ｄｇ１，〜，ｄｇ５やＪＰＥＧ画像ｄｇ６に変換する。したがって、文字情報Ｌ１に基づく印刷データファイルｄは、確認部４によってＪＰＥＧ画像ｄｇ１に変換されて、図９に示すように、台紙領域Ｐ１の指定位置に表示される。すなわち、指定文字「特許太郎」をプリンタ１０で印刷した場合のイメージと同一のイメージのＪＰＥＧ画像ｄｇ１が台紙領域Ｐ１に表示されることとなる。
【００３９】
ところで、ＪＰＥＧ画像ｄｇ１を情報指定ページＰの台紙領域Ｐ１に表示させるときには、氏名「特許太郎」に関する指定条件もサーバ１′から端末２００に送られる。このため、ユーザが台紙領域Ｐ１に表示されているＪＰＥＧ画像ｄｇ１にマウスカーソルを合わせ、マウスをクリックすると、当該ＪＰＥＧ画像ｄｇ１に関する文字情報（ブロック番号、位置、テキスト文字、フォント、大きさ）が文字情報指定領域Ｐ２に再表示される。したがって、図１０に示すように、ＪＰＥＧ画像ｄｇ１をマウスでドラッグして、所望の位置に移動させると、文字情報指定領域Ｐ２の上位置入力ボックスｐ２４と左位置入力ボックスｐ２５の数値が移動位置の数値に変化する。また、ＪＰＥＧ画像ｄｇ１を拡大すると、文字大きさスクロールｐ２８の数値が大きくなる。かかる状態で、送信ボタンｐ２２をクリックすることで、文字情報指定領域Ｐ２の条件を示す文字情報Ｌ１がサーバ１′に送信され、データベース３０内の文字情報Ｌ１が新しい文字情報Ｌ１に更新される。
【００４０】
印刷データ作成部５′は、端末２００の指令により、当該指令時に受信格納部３によって格納されている全ての指定文字や指定画像を印刷データファイルＤに変換する部分である。
具体的には、端末２００において、情報指定ページＰの出来上がりボタンＰ４がクリックされると、表示指令Ｒ１が端末２００から印刷データ作成部５′に送信される。すると、印刷データ作成部５′は、当該表示指令Ｒ１の受信時にデータベース３０に格納されている全ての文字情報Ｌ及び画像情報Ｇを読み出す。そして、これらの文字情報Ｌ及び画像情報Ｇに基づいて、全ての指定文字や指定画像を名刺の台紙に印刷させるための印刷データファイルＤに変換し、画像表示部６に出力する。
【００４１】
次にこの実施例に係るデザインシステムが示す動作について説明する。
なお、この実施例のデザインシステムが示す動作は、この発明のデザイン方法を具体的に実現するものでもある。
図１１は、１〜５番目のブロックの文字画像とロゴ画像とを示す画面図であり、図１２は、１〜５番目のブロックの文字画像とロゴ画像を移動させた状態を示す画面図であり、図１３は最終の名刺画像が表示された画面図である。
まず、情報指定ページＰの１番〜５番のブロックにおいて、氏名「特許太郎」や会社名「特許株式会社」等の文字を文字情報指定領域Ｐ２のテキストボックスｐ２６に入力すると共にフォント等を指定した後、各ブロック毎に、送信ボタンｐ２２をクリックする。そして、画像情報指定領域Ｐ３においては、ロゴ画像を指定してアップロードボタンｐ３５をクリックする。すると、文字情報Ｌ１〜Ｌ５，画像情報Ｇが、図８に示すサーバ１′に送信され、受信格納部３によって順次受信されて、データベース３０に格納される（情報指定ページ表示過程，受信格納過程）。これと並行して、文字情報Ｌ１〜Ｌ５，画像情報Ｇが確認印刷データ作成部８に送られ、文字情報Ｌ１〜Ｌ５，画像情報Ｇの各情報が示す指定文字や指定画像の印刷データファイルｄがそれぞれ作成される（確認印刷データ作成過程）。
すると、確認部４において、これらの６つの印刷データファイルｄがＪＰＥＧ画像ｄｇ１，〜，ｄｇ６に変換される。そして、これらのＪＰＥＧ画像ｄｇ１，〜，ｄｇ６が、図１１に示すように、台紙領域Ｐ１の指定位置にそれぞれ表示される（確認過程）。
【００４２】
ユーザは、情報指定ページＰの台紙領域Ｐ１に表示された名刺のデザインで満足しない場合には、ＪＰＥＧ画像ｄｇ１，〜，ｄｇ６の大きさや位置等を変更することができる。すなわち、図１２に示すように、全てのＪＰＥＧ画像ｄｇ１，〜，ｄｇ６の位置を変更したい場合には、マウスカーソルを合わせて移動位置までドラッグした後、各ＪＰＥＧ画像ｄｇ１（ｄｇ２，〜，ｄｇ６）に対して、送信ボタンｐ２２をクリックする。
これにより、ＪＰＥＧ画像ｄｇ１，〜，ｄｇ６についての文字情報Ｌ１〜Ｌ５，画像情報Ｇがサーバ１′に送られて、データベース３０内の情報がこれらの新しい情報に更新される（受信格納過程）。
【００４３】
ユーザは、図１２に示す名刺のデザインで満足した場合には、出来上がりボタンＰ４をクリックする。すると、表示指令Ｒ１が、図８に示す印刷データ作成部５′に送信され、印刷データ作成部５′において、データベース３０に格納されている最新の文字情報Ｌ１〜Ｌ５，画像情報Ｇが読み出され、文字情報Ｌ１〜Ｌ５と画像情報Ｇとが示す指定文字と指定画像の全てを含む印刷データファイルＤが作成される（印刷データ作成過程）。
しかる後、この印刷データファイルＤが画像表示部６に送られ、画像表示部６において、ＪＰＥＧ画像ＤＧに変換され、最終のＪＰＥＧ画像ＤＧが、図１３に示すように、情報指定ページＰの台紙領域Ｐ１に表示される（画像表示過程）。
したがって、後日、端末２００において情報指定ページＰを開き、再表示ボタンＰ５をクリックすると、このＪＰＥＧ画像ＤＧが台紙領域Ｐ１に表示されることとなる。
【００４４】
このように、この実施例のデザインシステムによれば、文字情報Ｌ１〜Ｌ５，画像情報Ｇの受信の都度、それぞれの印刷データファイルｄが作成され、ＪＰＥＧ画像ｄｇ１，〜，ｄｇ６に変換されて、端末２００の情報指定ページＰに表示される。そして、これらＪＰＥＧ画像ｄｇ１，〜，ｄｇ６の位置等を変更することができるので、ユーザは、デザイン作成中の実際のイメージを確認しながらデザイン作業を進行することができ、この結果、満足した名刺の完成版を得ることができると共にデザイン作業効率をさらに向上させることができる。
その他の構成，作用及び効果は上記第１実施例と同様であるので、その記載は省略する。
【００４５】
なお、この発明は上記実施例に限定されるものではなく、発明の要旨の範囲内において種々の変形及び変更が可能である。
例えば、上記実施例では、再表示部７を有したサーバ１，１′について説明したが、再表示部７を有しないサーバを備えるデザインシステムをこの発明の範囲から除外する意ではない。
また、上記実施例では、名刺を対象とするデザインシステムについて説明したが、この発明を用いることで、名刺だけでなく葉書等に対しても効率の良いデザインが可能であり、また、Ｔシャツの胸や背中などに印刷する文字や絵などのデザインも可能であることは勿論である。
【図面の簡単な説明】
【００４６】
【図１】この発明の第１実施例に係るデザインシステムを示すネットワーク図である。
【図２】サーバの機能ブロック図である。
【図３】情報指定ページを示すブラウザ画面図である。
【図４】１番目のブロックの文字情報とそのＪＰＥＧ画像とを示す画面図である。
【図５】２番目のブロックの文字情報とそのＪＰＥＧ画像とを示す画面図である。
【図６】５番目のブロックの文字情報とそのＪＰＥＧ画像とを示す画面図である。
【図７】画像情報とそのＪＰＥＧ画像とを示す画面図である。
【図８】この発明の第２実施例に係るデザインシステムに適用されるサーバの機能ブロック図である。
【図９】１番目のブロックの文字画像を示す画面図である。
【図１０】１番目のブロックの文字画像を移動させた状態を示す画面図である。
【図１１】１〜５番目のブロックの文字画像とロゴ画像とを示す画面図である。
【図１２】１〜５番目のブロックの文字画像とロゴ画像を移動させた状態を示す画面図である。
【図１３】最終の名刺画像が表示された画面図である。
【符号の説明】
【００４７】
１，１′…サーバ、  ２…情報指定ページ表示部、  ３…受信格納部、  ４…確認部、  ５，５′…印刷データ作成部、  ６…画像表示部、  ７…再表示部、  ８…確認印刷データ作成部、  １０…プリンタ、  ３０…データベース、  １００…インタネット、  ２００…端末、  Ｄ，ｄ…印刷データファイル、  ＤＧ１〜ＤＧ６，ｄｇ１〜ｄｇ６…ＪＰＥＧ画像、  Ｇ…画像情報、  Ｌ，Ｌ１，〜，Ｌ５…文字情報、  Ｐ…情報指定ページ、  Ｐ１…台紙領域、  Ｐ２…文字情報指定領域、  Ｐ３…画像情報指定領域、Ｐ４…出来上がりボタン、  Ｐ５…再表示ボタン、  Ｒ１…表示指令、  Ｒ…再表示指令、  ｐ２１…ブロック選択スクロール、  ｐ２２…送信ボタン、  ｐ２４，ｐ３２…上位置入力ボックス、  ｐ２５，ｐ３３…左位置入力ボックス、  ｐ２６…テキストボックス、  ｐ２７…フォント指定スクロール、  ｐ２８…文字大きさスクロール、  ｐ３１…画像大きさ入力ボックス、  ｐ３４…画像パス入力ボックス、  ｐ３５…アップロードボタン。  
【図１】
2006126917.tif 000003
【図２】
2006126917.tif 000004
【図３】
2006126917.tif 000005
【図４】
2006126917.tif 000006
【図５】
2006126917.tif 000007
【図６】
2006126917.tif 000008
【図７】
2006126917.tif 000009
【図８】
2006126917.tif 000010
【図９】
2006126917.tif 000011
【図１０】
2006126917.tif 000012
【図１１】
2006126917.tif 000013
【図１２】
2006126917.tif 000014
【図１３】
2006126917.tif 000015